(57)【要約】【課題】階層化されたフォルダに格納された音楽データの再生に必要な操作を簡略化するとともに再生開始までの時間を短縮することができる音楽データ再生装置を提供すること。【解決手段】オーディ装置１は、ＵＳＢメモリ２２に記録されて階層化されたフォルダのいずれかに格納された音楽データを再生するために、いずれかのフォルダを指定するフォルダ指定部１２と、フォルダ指定部１２によって指定されたフォルダに格納された下位のフォルダに格納された音楽データを抽出する音楽データ抽出部１４と、音楽データ抽出部１４によって抽出された音楽データを再生するオーディオ処理部４０とを備える。【選択図】図１
2012112986.tif 000002
【特許請求の範囲】
【請求項１】
記憶媒体に記録されて階層化されたフォルダのいずれかに格納された音楽データを再生する音楽データ再生装置において、
いずれかのフォルダを指定するフォルダ指定手段と、
前記フォルダ指定手段によって指定されたフォルダに格納された下位のフォルダに格納された音楽データを抽出する音楽データ抽出手段と、
前記音楽データ抽出手段によって抽出された音楽データを再生する再生手段と、
を備えることを特徴とする音楽データ再生装置。
【請求項２】
請求項１において、
前記音楽データ抽出手段は、前記フォルダ指定手段によって指定されたフォルダに格納された音楽データと、このフォルダに格納された下位のフォルダに格納された音楽データとを抽出し、
前記再生手段は、前記音楽データ抽出手段によって抽出された音楽データを再生することを特徴とする音楽データ再生装置。
【請求項３】
請求項１または２において、
同一階層のフォルダおよびファイルが含まれる選択画面を表示する表示手段と、
前記表示手段によって表示された選択画面に含まれる同一階層のフォルダおよびファイルの中からいずれかを選択する操作を行う操作手段と、
をさらに備え、前記フォルダ指定手段は、前記操作手段によってフォルダが選択されたときにこの選択されたフォルダを指定することを特徴とする音楽データ再生装置。
【請求項４】
請求項３において、
前記選択画面には、表示されているフォルダを選択するとともに、このフォルダに格納された音楽データと下位のフォルダに格納された音楽データの再生を指示する第１の領域と、このフォルダに格納された音楽データおよび下位のフォルダが含まれる前記選択画面の表示への切り替えを指示する第２の領域とが含まれており、
前記表示手段は、前記操作手段によって前記第２の領域が選択されたときに、対応するフォルダに格納された音楽データおよび１階層下のフォルダが含まれる前記選択画面を表示することを特徴とする音楽データ再生装置。
【請求項５】
請求項１または２において、
利用者の音声を集音するマイクロホンと、
前記マイクロホンによって集音した音声に対して音声認識処理を行う音声認識手段と、
をさらに備え、前記フォルダ指定手段は、前記音声認識手段による音声認識処理によって特定された内容に基づいてフォルダを指定することを特徴とする音楽データ再生装置。
【請求項６】
請求項５において、
利用者によってフォルダの名称が読み上げられたときに、前記音声認識手段による音声認識処理によってこの名称が特定され、
前記フォルダ指定手段は、特定された名称に対応するフォルダを指定することを特徴とする音楽データ再生装置。
【請求項７】
請求項５または６において、
記憶媒体に記録されて階層化されたフォルダの名称およびこのフォルダに格納された音楽データを示すファイルの名称を抽出してこれらの名称に対応する音声認識辞書を作成する辞書作成手段をさらに備え、
前記音声認識手段は、前記辞書作成手段によって作成された音声認識辞書を用いて音声認識処理を行うことを特徴とする音楽データ再生装置。
【請求項８】
請求項７において、
前記記憶媒体は挿抜可能であり、
前記辞書作成手段は、前記記憶媒体が接続されたときに前記音声認識辞書を作成することを特徴とする音楽データ再生装置。
【請求項９】
請求項２において、
前記再生手段は、複数の前記音楽データの再生が一巡したときに、最初に再生した音楽データに戻って再度音楽データの再生を行うことを特徴とする音楽データ再生装置。
【発明の詳細な説明】
【技術分野】
【０００１】
本発明は、階層化されたフォルダ構成を有する音楽データを読み出して再生する音楽データ再生装置に関する。
【背景技術】
【０００２】
従来から、階層化されたフォルダに格納された音楽データを記憶媒体に記録しておいて、表示された各フォルダを指定することによりこのフォルダに含まれる音楽データの生成を行うようにしたデータ再生装置が知られている（例えば、特許文献１参照。）。このデータ再生装置では、再生可能な音楽データが格納されていない未格納フォルダを、音楽データが格納されている他のフォルダと識別可能な状態で表示したり、フォルダを指定する際に未格納フォルダをスキップしたりしてデータの検索時間の増大を抑制している。
【先行技術文献】
【特許文献】
【０００３】
【特許文献１】特開２００７−２５００３６号公報（第３−８頁、図１−８）
【発明の概要】
【発明が解決しようとする課題】
【０００４】
ところで、上述した特許文献１に開示されたデータ再生装置では、未格納フォルダを指定することは回避することができるが、音楽データが格納されたフォルダを指定して音楽データを実際に特定して再生を行うまでの操作が煩雑であり再生までに時間がかかるという問題があった。例えば、複数階層のフォルダ構成を有し、最下層のフォルダに音楽データが格納されている場合には、上位階層から下位階層に向けて順番にフォルダを指定していって最終的に最下層の音楽データを特定して再生を行う必要があるため、音楽データを特定するまでの操作回数が多くなり、その分再生開始までの時間がかかることになる。
【０００５】
本発明は、このような点に鑑みて創作されたものであり、その目的は、階層化されたフォルダに格納された音楽データの再生に必要な操作を簡略化するとともに再生開始までの時間を短縮することができる音楽データ再生装置を提供することにある。
【課題を解決するための手段】
【０００６】
上述した課題を解決するために、本発明の音楽データ再生装置は、記憶媒体に記録されて階層化されたフォルダのいずれかに格納された音楽データを再生する音楽データ再生装置において、いずれかのフォルダを指定するフォルダ指定手段と、フォルダ指定手段によって指定されたフォルダに格納された下位のフォルダに格納された音楽データを抽出する音楽データ抽出手段と、音楽データ抽出手段によって抽出された音楽データを再生する再生手段とを備えている。
【０００７】
いずれかのフォルダが指定されたときに、この指定されたフォルダに格納された下位のフォルダについて音楽データが抽出されて再生が行われるため、下位のフォルダを特定して音楽データを探す必要がなく、階層化されたフォルダに格納された音楽データの再生に必要な操作を簡略化するとともに再生開始までの時間を短縮することができる。
【０００８】
また、上述した音楽データ抽出手段は、フォルダ指定手段によって指定されたフォルダに格納された音楽データと、このフォルダに格納された下位のフォルダに格納された音楽データとを抽出し、再生手段は、音楽データ抽出手段によって抽出された音楽データを再生することが望ましい。これにより、一つのフォルダを指定するだけで、このフォルダより下位のフォルダ構成に応じた操作を行うことなくこのフォルダに格納された全ての音楽データを抽出して再生することが可能になり、操作の大幅な簡略化が可能となる。
【０００９】
また、同一階層のフォルダおよびファイルが含まれる選択画面を表示する表示手段と、表示手段によって表示された選択画面に含まれる同一階層のフォルダおよびファイルの中からいずれかを選択する操作を行う操作手段とをさらに備え、フォルダ指定手段は、操作手段によってフォルダが選択されたときにこの選択されたフォルダを指定することが望ましい。これにより、表示されたフォルダを選択するだけで、このフォルダより下位のフォルダに格納された音楽データを特別な操作を行うことなく抽出して再生を行うことができる。
【００１０】
また、上述した選択画面には、表示されているフォルダを選択するとともに、このフォルダに格納された音楽データと下位のフォルダに格納された音楽データの再生を指示する第１の領域と、このフォルダに格納された音楽データおよび下位のフォルダが含まれる選択画面の表示への切り替えを指示する第２の領域とが含まれており、表示手段は、操作手段によって第２の領域が選択されたときに、対応するフォルダに格納された音楽データおよび１階層下のフォルダが含まれる選択画面を表示することが望ましい。これにより、表示されたフォルダより下位のフォルダに格納された音楽データを特別な操作を行うことなく抽出して再生する動作と、フォルダを指定してその下位のフォルダを辿りながら音楽データを検索する従来の動作とを選択的に実行することが可能となり、利用者の好み等に対処して操作性を向上させることができる。
【００１１】
また、上述した利用者の音声を集音するマイクロホンと、マイクロホンによって集音した音声に対して音声認識処理を行う音声認識手段とをさらに備え、フォルダ指定手段は、音声認識手段による音声認識処理によって特定された内容に基づいてフォルダを指定することが望ましい。特に、利用者によってフォルダの名称が読み上げられたときに、音声認識手段による音声認識処理によってこの名称が特定され、フォルダ指定手段は、特定された名称に対応するフォルダを指定することが望ましい。これにより、音声認識による音声操作を行う場合の操作の簡略化が可能になり、各階層のフォルダを音声で指定して下位フォルダの音楽データを指定する場合に比べて大幅な時間短縮が可能となる。
【００１２】
また、上述した記憶媒体に記録されて階層化されたフォルダの名称およびこのフォルダに格納された音楽データを示すファイルの名称を抽出してこれらの名称に対応する音声認識辞書を作成する辞書作成手段をさらに備え、音声認識手段は、辞書作成手段によって作成された音声認識辞書を用いて音声認識処理を行うことが望ましい。これにより、音声認識処理の対象となるフォルダやファイルの名称を限定することができ、音声認識処理の精度を向上させるとともに、音声認識処理に要する時間を短縮することができる。
【００１３】
また、上述した記憶媒体は挿抜可能であり、辞書作成手段は、記憶媒体が接続されたときに音声認識辞書を作成することが望ましい。記憶媒体を接続するたびにその都度処理に必要なだけの音声認識辞書が作成されるため、音声認識辞書を格納するための容量を低減することができる。
【００１４】
また、上述した再生手段は、複数の音楽データの再生が一巡したときに、最初に再生した音楽データに戻って再度音楽データの再生を行うことが望ましい。これにより、車載のオーディオ装置等に本発明を適用した場合に、特別な操作を行うことなく音楽再生を継続することが可能となる。
【図面の簡単な説明】
【００１５】
【図１】一実施形態のオーディオ装置の構成を示す図である。
【図２】階層化されたフォルダ構成の具体例を示す図である。
【図３】フォルダおよびファイルのそれぞれに付与されるＩＤの具体例を示す図である。
【図４】選択画面を用いて音楽再生を行う動作手順を示す流れ図である。
【図５】選択画面の具体例を示す図である。
【図６】エラー画面の表示例を示す図である。
【図７】音声認識辞書作成の動作手順を示す流れ図である。
【図８】音声認識処理を用いて音楽再生を行う動作手順を示す流れ図である。
【発明を実施するための形態】
【００１６】
以下、本発明の音楽データ再生装置を適用した一実施形態のオーディオ装置について、図面を参照しながら説明する。図１は、一実施形態のオーディオ装置の構成を示す図である。このオーディオ装置は、例えば車両に搭載されている。
【００１７】
図１において、オーディオ装置１は、制御部１０、ＵＳＢ（Universal Serial Bus）インタフェース部（ＵＳＢ  Ｉ／Ｆ）２０、音声認識処理部３０、マイクロホン３８、オーディオ処理部４０、増幅器４２、表示部５０、操作部６０を備えている。
【００１８】
制御部１０は、オーディオ装置１の全体を制御する。制御部１０の詳細については後述する。ＵＳＢインタフェース部２０は、外部の記憶媒体としてのＵＳＢメモリ２２との間で信号の入出力を行うためのものであり、ＵＳＢポートやＵＳＢホストコントローラが含まれる。ＵＳＢメモリ２２には音楽データが記録されている。この音楽データの記録は、階層化されたフォルダを用いて行われる。例えば、利用者は、階層化された複数のフォルダ構成を任意に形成することができ、この中からいずれかのフォルダを指定して所望の音楽データを格納することができる。
【００１９】
図２は、階層化されたフォルダ構成の具体例を示す図である。図２に示す例では、ルートフォルダであるフォルダ１００の下に、第１階層の３つのフォルダ１１０、１２０、１３０が含まれる。フォルダ１１０の下には第２階層の１つのフォルダ１１１が含まれる。このフォルダ１１１には、音楽データとしての３つのファイル１１１ａ、１１１ｂ、１１１ｃが格納されている。フォルダ１２０の下には第２階層の１つのフォルダ１２１が含まれ、その下には第３階層のフォルダ１２１０が含まれる。このフォルダ１２１０には、音楽データとしての３つのファイル１２１０ａ、１２１０ｂ、１２１０ｃが格納されている。フォルダ１３０の下には第２階層の３つのフォルダ１３１、１３２、１３３と１つの音楽データとしてのファイル１３０ａが含まれる。さらに、フォルダ１３１には、音楽データとしての３つのファイル１３１ａ、１３１ｂ、１３１ｃが格納されている。また、フォルダ１３３には、音楽データとしての１つのファイル１３３ａが格納されている。なお、音楽データのデータ形式は本実施形態のオーディオ装置１で再生可能なものであれば異なるデータ形式の音楽データが混在していてもよい。
【００２０】
音声認識処理部３０は、マイクロホン３８によって集音した利用者の音声に対して音声認識処理を行うためのものであり、音声認識辞書作成部３２、音声認識辞書３４、音声認識部３６を含んでいる。音声認識辞書作成部３２は、ＵＳＢメモリ２２に記録された各フォルダの名称およびこのフォルダに格納された音楽データとしての各ファイルの名称を読み上げた音声に対応する音声認識辞書３４を作成する。この音声認識辞書３４の作成はＵＳＢメモリ２２をオーディオ装置１に接続した際（ＵＳＢポートに差し込んだ際）に行われるが、使用者による指示に応じて作成を開始するようにしてもよい。
【００２１】
音声認識部３６は、作成された音声認識辞書３４を用いて、マイクロホン３８によって集音した利用者の音声に対して音声認識処理を行い、利用者が指定したフォルダあるいはファイルを特定する。
【００２２】
オーディオ処理部４０は、制御部１０によってＵＳＢメモリ２２から読み出される音楽データを再生するためのものであり、データ形式毎の復号処理等を行ってオーディオ信号を出力する。このオーディオ信号は、増幅器４２によって増幅され、スピーカ４４から出力される。なお、実際には、２チャンネルあるいはそれ以上のチャンネル数のオーディオ信号が再生されて出力されるが、図１に示す例では、簡略化して１つの増幅器４２と１つのスピーカ４４が図示されている。
【００２３】
表示部５０は、音楽データの再生内容（曲名、アーティスト名、再生経過時間等の情報）を表示したり、再生対象となる音楽データを利用者が指定するための選択画面を表示する。
【００２４】
操作部６０は、利用者の再生開始／終了指示や音量、音質の設定指示などを受け付けるためのものであり、各種のスイッチや操作つまみ等が備わっている。また、本実施形態では、表示部５０に選択画面が表示された時点で、この選択画面に含まれるフォルダ名やファイル名を利用者が指などで直接指し示すことにより、フォルダやファイルの特定、および特定したファイルの再生や特定したフォルダや下位のフォルダに格納されたファイルの再生を指示することができるようになっており、このような選択画面を用いた操作を可能とするために、指し示された指などの位置を検出するタッチパネルが、操作部６０の一部として備わっている。なお、タッチパネルを用いる代わりに、リモートコントロールユニット等を用いて選択画面の一部を、利用者の指示に応じて選択するようにしてもよい。
【００２５】
次に、制御部１０について説明する。図１に示すように、制御部１０は、フォルダ指定部１２、音楽データ抽出部１４、選択画面作成部１６、ＩＤ管理部１８を含んでいる。フォルダ指定部１２は、ＵＳＢメモリ２２に含まれるいずれかのフォルダやファイルを指定する。この指定は、表示部５０に表示された選択画面に含まれる１つあるいは複数のフォルダあるいはファイルの中から、操作部６０を用いていずれか１つを選択することにより行われる。あるいは、この指定は、音声認識処理部３０による音声認識処理によって特定された利用者の発話内容に基づいて１つのフォルダあるいはファイルを特定することにより（具体的には発話されたフォルダ名あるいはファイル名と一致するフォルダあるいはファイルを特定することにより）行われる。
【００２６】
音楽データ抽出部１４は、フォルダ指定部１２によってフォルダが指定されたときに、この指定されたフォルダに格納されたファイルや、このフォルダよりも下位のフォルダに格納されたファイルを検索し、各ファイルの音楽データを抽出する。
【００２７】
選択画面作成部１６は、操作部６０を用いてフォルダ指定を行う際に用いられる選択画面を作成する。この選択画面が表示部５０に表示される。ＩＤ管理部１８は、ＵＳＢメモリ２２に記録されたフォルダおよびファイルのそれぞれに対して、フォルダ構造に対応するＩＤを付与する。
【００２８】
図３は、フォルダおよびファイルのそれぞれに付与されるＩＤの具体例を示す図である。図３に示すように、ＩＤには「属性」、「ファイル／フォルダ有無」、「階層識別ＩＤ」、「ファイル／フォルダＩＤ」が含まれる。「属性」は、ＩＤが付与された対象がファイルであるいかフォルダであるかを示す。「ファイル／フォルダ有無」は、ＩＤ付与の対象がフォルダである場合にこのフォルダにファイルあるいは下位のフォルダが存在するか否かを示す。「階層識別ＩＤ」は、ＩＤ付与の対象となるファイルあるいはフォルダの階層を示す。「ファイル／フォルダＩＤ」は、ファイルあるいはフォルダに対応する識別子である。
【００２９】
上述したフォルダ指定部１２がフォルダ指定手段に、音楽データ抽出部１４が音楽データ抽出手段に、オーディオ処理部４０が再生手段に、表示部５０が表示手段に、操作部６０が操作手段に、音声認識部３６が音声認識手段に、音声認識辞書作成部３２が辞書作成手段にそれぞれ対応する。
【００３０】
オーディオ装置１はこのような構成を有し、次にその動作を説明する。本実施形態のオーディオ装置では、利用者がフォルダやファイルを指定して音楽データを再生を指示する方法として、（１）表示された選択画面を用いてフォルダやファイルを指定して音楽再生を行う方法と、（２）利用者がフォルダ名やファイル名を音声で指示して音楽再生を行う方法の２種類がある。以下、それぞれの方法について説明する。
【００３１】
（１）表示された選択画面を用いてフォルダやファイルを指定して音楽再生を行う場合
図４は、選択画面を用いて音楽再生を行う動作手順を示す流れ図である。なお、この動作に先立ってＵＳＢメモリ２２がオーディオ装置１に接続された際に、ＩＤ管理部１８によってＵＳＢメモリ２２に記録されたフォルダおよびファイルのそれぞれにＩＤ（図３）が付与されており、このＩＤを参照しながら、階層化された下位のフォルダや各フォルダに格納されたファイルの検索等が行われる。
【００３２】
まず、選択画面作成部１６は、同一階層のフォルダおよびファイルが含まれる選択画面を作成し、表示部５０に表示する（ステップ１００）。例えば、ＵＳＢメモリ２２が接続された直後の初期状態では、図２に示すルートフォルダとしてフォルダ１００に格納された第１階層のフォルダおよびファイルが含まれる選択画面が作成され、表示される。
【００３３】
図５は、選択画面の具体例を示す図である。この選択画面には、図２に示す第１階層に対応する３つのフォルダ１１０、１２０、１３０の名称を含むフォルダ名称領域２００、２０２、２０４と、それぞれのフォルダに含まれるファイルおよび下位のフォルダに含まれるファイルを検索して各ファイルの音楽データの再生を指示するための再生指示領域２１０、２１２、２１４とが含まれている。また、各フォルダ名称領域２００、２０２、２０４には、１つ下位（この場合には第２階層）のフォルダ名／ファイル名を含む選択画面への表示の切り替えを指示する下位切替指示領域２２０、２２２、２２４が含まれている。上述した再生指示領域２１０、２１２、２１４が第１の領域に、下位切替指示領域２２０、２２２、２２４が第２の領域にそれぞれ対応する。
【００３４】
なお、図２に示す例では第１階層にはファイルが含まれないため、選択画面にファイル名が表示されないが、例えば、フォルダ１３０に格納された第２階層に対応した選択画面の場合には１つ（ファイルが複数ある場合にはその数に対応して数）のファイル名称領域２３０が選択画面に含まれる。また、図５に示す選択画面に含まれるフォルダ名称領域２００等は、このフォルダあるいは下位のフォルダに音楽データのファイルが格納されている場合に限り表示する場合と、ファイルの有無に関係なく表示する場合が考えられる。
【００３５】
次に、フォルダ指定部１２は、操作部６０を用いて利用者による選択指示がなされたか否かを判定する（ステップ１０２）。選択画面に含まれるどの領域に対しても選択指示がなされない場合には否定判断が行われ、この判定が繰り返される。
【００３６】
また、選択画面に含まれるいずれかの領域に対して選択指示がなされるとステップ１０２の判定において肯定判断が行われる。次に、フォルダ指定部１２は、選択指示によってファイルが選択されたか否かを判定する（ステップ１０４）。ファイルの選択は、図５に示すファイル名称領域２３０を利用者が指などで直接指し示すことにより行われる。ファイルが選択された場合にはステップ１０４の判定において肯定判断が行われる。この場合には、この選択されたファイルに対応する音楽データが音楽データ抽出部１４によって抽出され、オーディオ処理部４０によって音楽再生処理が行われる（ステップ１０６）。
【００３７】
一方、ファイル選択が行われない場合にはステップ１０４において否定判断が行われる。次に、フォルダ指定部１２は、下位フォルダが選択されたか否かを判定する（ステップ１０８）。下位フォルダの選択は、下位切替指示領域２２０等を利用者が指などで直接指し示すことにより行われる。下位フォルダが選択された場合にはステップ１０８の判定において肯定判断が行われる。例えば、下位切替指示領域２２４が指し示された場合には、ステップ１００に戻って、フォルダ１３０に格納された３つのフォルダ１３１、１３２、１３３および１つのファイル１３０ａに対応する新たな選択画面が作成、表示され、ステップ１０２の判定動作以降が繰り返される。
【００３８】
また、下位フォルダの選択操作ではなく、再生指示領域２１０、２１２、２１４のいずれかが指し示された場合にはステップ１０８の判定において否定判断が行われる。この場合には、音楽データ抽出部１４は、再生指示領域２１０等で名称が示されたフォルダに格納されたファイルあるいはさらに下位のフォルダに格納されたファイルの検索を行って音楽データを抽出する（ステップ１１０）。例えば、図５に示す再生指示領域２１４が指し示された場合には、フォルダ１３０の１つ下位の第２階層に格納されたファイル１３０ａと、フォルダ１３１に格納された第３階層の３つのファイル１３１ａ、１３１ｂ、１３１ｃと、フォルダ１３３に格納された第３階層の１つのファイル１３３ａが検索によって特定され、これらの各ファイルの音楽データが抽出される。
【００３９】
次に、このようにして１つあるいは複数の音楽データが音楽データ抽出部１４によって抽出されると、オーディオ処理部４０は、所定の順番で各音楽データに対して音楽再生処理を行う（ステップ１１２）。
【００４０】
なお、図５に示した選択画面において、音楽データのファイルの有無に関係なくフォルダ名称領域２００等を表示する場合には、再生指示領域２１０等を利用者が指し示しても、対応するフォルダおよび下位のフォルダに音楽データのファイルが格納されていない場合がある。このような場合には、図６に示すようなエラー画面が表示され、利用者によって「ＯＫ」領域が指し示された後、ステップ１００に戻って選択画面表示以降の動作が繰り返される。
【００４１】
このように、本実施形態のオーディオ装置１では、いずれかのフォルダが指定されたときに、この指定されたフォルダだけでなく、このフォルダに格納された下位のフォルダについても音楽データが抽出されて音楽再生処理が行われるため、下位のフォルダを特定して音楽データを探す必要がなく、階層化されたフォルダに格納された音楽データの再生に必要な操作を簡略化するとともに再生開始までの時間を短縮することができる。特に、一つのフォルダを指定するだけで、このフォルダより下位のフォルダ構成に応じた操作を行うことなくこのフォルダに格納された全ての音楽データを抽出して再生することが可能になり、操作の大幅な簡略化が可能となる。
【００４２】
また、選択画面に含まれるフォルダに対応する再生指示領域を指し示すだけで、このフォルダより下位のフォルダに格納された音楽データを特別な操作を行うことなく抽出して再生を行うことができるため、操作回数の低減による操作性向上が可能となる。
【００４３】
また、フォルダを指定した音楽再生指示だけでなく、フォルダを指定してこのフォルダに格納されたファイルや下位のフォルダを含む選択画面に切り替えることができるため、フォルダを指定してその下位のフォルダを辿りながら音楽データを検索する従来の操作を選択することもでき、利用者の好み等に対処して操作性を向上させることができる。
【００４４】
（２）音声でフォルダ名やファイル名を指示して音楽再生を行う場合
音声認識処理を用いてフォルダ名やファイル名を特定する処理の精度を向上させるとともに処理時間を短縮するために、本実施形態では、ＵＳＢメモリ２２が接続された際にこのＵＳＢメモリ２２に対応する音声認識辞書３４が作成される。
【００４５】
図７は、音声認識辞書３４作成の動作手順を示す流れ図である。音声認識辞書作成部３０は、ＵＳＢメモリ２２が接続されたか否かを判定しており（ステップ２００）、接続されるまで否定判断を行ってこの判定を繰り返す。また、ＵＳＢメモリ２２が接続されるとステップ２００の判定において肯定判断が行われ、次に、音声認識辞書作成部３２は、ＵＳＢメモリ２２に記録された全てのフォルダおよびファイルの名称を抽出し（ステップ２０２）、これらの名称を読み上げる音声を特定するために用いる音声認識辞書を作成する（ステップ２０４）。
【００４６】
なお、この段階では話者が特定されていないため、各名称に対応して女性の音声に対応する音声認識辞書と男性の音声に対応する音声認識辞書を同時に作成する等の工夫をして音声認識精度を上げることが望ましい。また、ステップ２０２のフォルダ名およびファイル名の抽出処理は、ＩＤ管理部１８によるＩＤの付与動作と一部重複するため（例えば、フォルダやファイルの検索動作）、ステップ２０２の動作の後あるいは前にＩＤ管理部１８によるＩＤ付与動作を実施するようにしてもよい。
【００４７】
図８は、音声認識処理を用いて音楽再生を行う動作手順を示す流れ図である。フォルダ名あるいはファイル名を読み上げるための利用者による発話があると（ステップ３００）、音声認識部３６は、マイクロホン３８から取り込んだ発話音声に対して音声認識処理を行って、発話内容であるフォルダ名あるいはファイル名を特定する（ステップ３０２）。なお、実際の音声認識処理を用いた操作では、発話音声には、フォルダ名やファイル名以外の操作音声や指示音声も含まれるが、説明を簡単にするために、フォルダ名およびファイル名のいずれかが音声によって指示される場合を考えるものとする。また、選択画面を用いたフォルダ等の指示と異なり、利用者は、図２に示したフォルダ構造の任意の階層に含まれるフォルダ名あるいはファイル名を直接音声によって指示することができるものとする。
【００４８】
次に、フォルダ指定部１２は、音楽データに対応するファイルが選択されたか否かを判定する（ステップ３０４）。ステップ３０２の音声認識処理によってファイル名が特定された場合には肯定判断が行われる。この場合には、この選択されたファイルに対応する音楽データが音楽データ抽出部１４によって抽出され、オーディオ処理部４０によって音楽再生処理が行われる（ステップ３０６）。
【００４９】
一方、ステップ３０２の音声認識処理によってフォルダ名が特定された場合にはステップ３０４の判定において否定判断が行われる。このようにファイル選択ではなくフォルダ選択が行われた場合には、次に、音楽データ抽出部１４は、選択されたフォルダに格納されたファイルあるいはさらに下位のフォルダに格納されたファイルの検索を行って音楽データを抽出する（ステップ３０８）。例えば、図２に示す階層構造のフォルダ１３０が特定された場合には、このフォルダ１３０の１つ下位の第２階層に格納されたファイル１３０ａと、フォルダ１３１に格納された第３階層の３つのファイル１３１ａ、１３１ｂ、１３１ｃと、フォルダ１３３に格納された第３階層の１つのファイル１３３ａが特定され、これらの各ファイルの音楽データが抽出される。
【００５０】
次に、このようにして１つあるいは複数の音楽データが音楽データ抽出部１４によって抽出されると、オーディオ処理部４０は、所定の順番で各音楽データに対して音楽再生処理を行う（ステップ３１０）。
【００５１】
なお、音楽データが格納されていないフォルダを利用者が発話によって指定した場合には、「このフォルダには音楽データははありませんので、他のフォルダを指定して下さい」等のエラーメッセージをスピーカ４４から出力した後（例えば、このエラーメッセージが音楽データ抽出部１４やＩＤ管理部１８によって作成される）、ステップ３００に戻って利用者による発話以降の動作が繰り返される。また、ステップ３０８において下位のフォルダに含まれるファイルを検索する際に、下位のフォルダが複数存在する場合には、その旨を音声メッセージで利用者に知らせて、その中から一つを音声で選択させるようにしてもよい。
【００５２】
このように、本実施形態のオーディオ装置１では、いずれかのフォルダ名を音声で指示するだけで、その下位のフォルダに格納された音楽データを抽出して音楽生成を行うことができるため、音声認識による音声操作を行う場合の操作の簡略化が可能になり、各階層のフォルダを音声で指定して下位フォルダの音楽データを指定する場合に比べて大幅な時間短縮が可能となる。
【００５３】
また、ＵＳＢメモリ２２に記録されたフォルダ名およびファイル名を抽出してこれらの名称に対応する音声認識辞書を作成しているため、音声認識処理の対象となるフォルダやファイルの名称を限定することができ、音声認識処理の精度を向上させるとともに、音声認識処理に要する時間を短縮することができる。特に、ＵＳＢメモリ２２を接続するたびにその都度処理に必要なだけの音声認識辞書が作成されるため、音声認識辞書を格納するための容量を低減することができる。
【００５４】
なお、本発明は上記実施形態に限定されるものではなく、本発明の要旨の範囲内において種々の変形実施が可能である。例えば、上述した実施形態では、抽出された音楽データを用いた音楽再生（図４のステップ１０６、１１２、図８のステップ３０６、３１０）が終了した後に一連の処理を終了したが、これらの音楽再生をエンドレスで繰り返すようにしてもよい。例えば、複数のファイルが検索されて複数の音楽データに対応する音楽再生が終了した後、最初に再生した音楽データに戻って再度音楽データの再生を行うようにしてもよい。これにより、車載のオーディオ装置１について、特別な操作を行うことなく音楽再生を継続することが可能となる。
【００５５】
また、上述した実施形態では、ＵＳＢメモリ２２に音楽データが記録されている場合について説明したが、他の記憶媒体、例えばＳＤメモリ等の半導体メモリやＣＤ、ＤＶＤ等等の他の記憶媒体、あるいは、挿抜不可能なハードディスク装置等の記憶媒体に音楽データが記録されている場合にも本発明を適用することができる。
【００５６】
また、上述した実施形態では、いずれかの階層に対応したフォルダやファイルが含まれる選択画面を表示してフォルダ等の選択を行う場合について説明したが、表示部５０の表示画面が大きい場合には、図２に示すフォルダの階層化構造をそのまま選択画面として画面上に表示するようにしてもよい。この場合には、利用者は、操作部６０を用いて、任意のフォルダあるいはファイルを選択するようにしてもよい。フォルダが選択された場合には、音声によってフォルダが選択された場合と同様にして、この選択されたフォルダに格納されたファイルおよびこのフォルダの下位のフォルダに格納されたファイルを選択して音楽データを抽出し、これらの音楽データに対する音楽再生を行えばよい。
【００５７】
また、上述した実施形態では、階層化されたフォルダのいずれかを指定してファイルを検索し、音楽データを再生するようにしたが、同様の階層化された仮想的な構造を有するプレイリスト（再生リスト）に本発明を適用してもよい。例えば、プレイリストの中で各ジャンルを設定し、その下にアーティスト名、さらにその下に各アーティストのアルバム名を設定し、アルバム名の下に実際のファイル（音楽データ）を対応づける場合を考えると、「プレイリスト」−「ジャンル」−「アーティスト」−「アルバム」の階層構造が形成されれる。これらの各階層が仮想的なフォルダであり、本発明をそのまま適用することができる。図２に示す例では、例えば、フォルダ１３０を「プレイリスト」に置き換える場合を考えると、第２階層のフォルダが各ジャンルに、第３階層のフォルダが各アーディスに、第４階層のフォルダが各アルバムにそれぞれ対応する。また、この場合には、図５に示した選択画面において、フォルダ名称領域２０４に「プレイリスト」と表示される。
【００５８】
また、上述した実施形態では、選択画面を用いたフォルダ等の指定と、音声認識処理を用いたフォルダ等の指定の両方を行うことができるオーディオ装置１について説明したが、いずれか一方の指定方法のみを選択的に行うようにしてもよい。この場合には、選択されなかった指定方法のみに必要な構成は、省略することができる。
【産業上の利用可能性】
【００５９】
上述したように、本発明によれば、いずれかのフォルダが指定されたときに、この指定されたフォルダに格納された下位のフォルダについて音楽データが抽出されて再生が行われるため、下位のフォルダを特定して音楽データを探す必要がなく、階層化されたフォルダに格納された音楽データの再生に必要な操作を簡略化するとともに再生開始までの時間を短縮することができる。
【符号の説明】
【００６０】
１  オーディオ装置
１０  制御部
１２  フォルダ指定部
１４  音楽データ抽出部
１６  選択画面作成部
１８  ＩＤ管理部
２０  ＵＳＢインタフェース部（ＵＳＢ  Ｉ／Ｆ）
３０  音声認識処理部
３２  音声認識辞書作成部
３４  音声認識辞書
３６  音声認識部
３８  マイクロホン
４０  オーディオ処理部
４２  増幅器
５０  表示部
６０  操作部
【図１】
2012112986.tif 000003
【図２】
2012112986.tif 000004
【図３】
2012112986.tif 000005
【図４】
2012112986.tif 000006
【図５】
2012112986.tif 000007
【図６】
2012112986.tif 000008
【図７】
2012112986.tif 000009
【図８】
2012112986.tif 000010